(57)【要約】【課題】紙媒体の書籍を所有していることを簡易な方法で確認すること。【解決手段】ユーザ端末５と通信可能に接続され、ユーザによる書籍の所有を確認するサーバ１は、ユーザ又は書籍関連事業者に関連付けて位置情報を記憶するユーザＤＢ３１と、ユーザ端末５から書籍の撮影画像、及び当該撮影画像を撮影した時点におけるユーザ端末５の位置情報を取得する取得部２１と、取得した位置情報がユーザＤＢ３１に記憶された位置情報に対応するか否かに基づいて、撮影画像に対応する書籍の所有の有無を確認する確認部２５と、を備える。【選択図】図９
2016045561.tif 000002
【特許請求の範囲】
【請求項１】
ユーザ端末と通信可能に接続され、ユーザによる紙媒体の書籍の所有を確認する所有確認装置であって、
前記ユーザ又は書籍関連事業者に関連付けて位置情報を記憶する第１記憶部と、
前記ユーザ端末から書籍の撮影画像、及び当該撮影画像を撮影した時点における前記ユーザ端末の位置情報を取得する取得部と、
取得した前記位置情報が前記第１記憶部に記憶された位置情報に対応するか否かに基づいて、前記撮影画像に対応する紙媒体の書籍の所有の有無を確認する確認部と、
を備える所有確認装置。
【請求項２】
前記取得部は、前記書籍の所定位置についての第１撮影画像、及び、前記書籍の少なくとも一部の頁についての第２撮影画像を取得し、
書籍に関連付けて当該書籍の画像情報を記憶する第２記憶部と、
前記第１撮影画像に基づいて、撮影された前記書籍を特定する特定部と、
前記第２撮影画像及び前記第２記憶部に記憶された前記画像情報に基づいて、当該第２撮影画像が前記特定部により特定された前記書籍を撮影した画像であるか否かを判定する判定部と、
を更に備える請求項１に記載の所有確認装置。
【請求項３】
前記特定部が撮影された前記書籍を特定すると、前記ユーザ端末に対して撮影すべき前記頁を指示する指示部、
を更に備える請求項２に記載の所有確認装置。
【請求項４】
前記第１撮影画像に対応する前記所定位置は、前記書籍に付されたコード画像、前記書籍の表紙、裏表紙、背表紙又は腹部分のうちの一部を少なくとも含む、
請求項２又は３に記載の所有確認装置。
【請求項５】
前記第１撮影画像は、前記コード画像、前記表紙、前記裏表紙、前記背表紙及び前記腹部分のうちの複数を連続して撮影した撮影画像を含む、
請求項４に記載の所有確認装置。
【請求項６】
前記判定部は、前記任意の頁における頁間境界部及び／若しくは頁縁部の陰影状態、又は前記書籍の立体構造に応じて前記書籍を撮影した画像であるか否かを判定する、
請求項２から５のいずれかに記載の所有確認装置。
【請求項７】
前記取得部は、前記撮影画像を撮影した時点におけるＧＰＳ情報又は撮影画像に基づいて、前記ユーザ端末の位置情報を取得する、
請求項１から６のいずれかに記載の所有確認装置。
【請求項８】
前記確認部が所有を確認したことに応じて前記ユーザに与えられる、前記書籍についての権利が消化したことを所定の方法により判定する判定部、を更に備え、
前記確認部による所有の確認から前記判定部による前記判定を単一セッションでシームレスに行う、
請求項１から７のいずれかに記載の所有確認装置。
【請求項９】
請求項１から８のいずれかに記載の所有確認装置と、前記ユーザ端末とを備える書籍管理システムであって、
前記ユーザ端末は、前記所有確認装置に対して、当該所有確認装置からの指示に応じて前記ユーザ端末が有する撮影部により撮影された画像のみを前記撮影画像として送信し、
前記所有確認装置による前記指示、前記ユーザ端末による前記撮影画像の送信、及び前記所有確認装置の前記確認部による前記所有の有無の確認を、単一セッションで行う、
書籍管理システム。
【発明の詳細な説明】
【技術分野】
【０００１】
本発明は、所有確認装置及び書籍管理システムに関する。
【背景技術】
【０００２】
デジタルコンテンツの普及に伴い、近年では、書籍をデジタル化した電子書籍が注目されている。電子書籍は、紙媒体の書籍と異なり電子データで構成されるため、多数の書籍を管理するのに適している。
ところで、紙媒体の書籍を所有しているユーザであっても、所有している書籍を電子書籍で所有することを望むことがある。一例として、シリーズ物の書籍では完結するまでに長期間にわたり継続することがあり、前半部分を紙媒体の書籍で所有しているユーザが後半部分を電子書籍で所有する場合、ユーザによっては、前半部分についても電子書籍で所有することを望むことがある。
【０００３】
ユーザにとってみれば、前半部分については既に紙媒体の書籍を所有しているため、電子書籍として再度購入することは望ましくない。そこで、近年では、ユーザ又はユーザの代理者が紙媒体の書籍を電子化する所謂自炊サービスが知られている。しかしながら、紙媒体の書籍を電子化するには、高度な技術や特別な装置が必要になることが多く、また、多くの場合で紙媒体の書籍を破棄しなければならず、抵抗感が強く、ユーザは利用を避ける傾向にある。
【０００４】
そこで、紙媒体の書籍を所有しているユーザに対して、無料又は通常より安い価格で電子書籍を提供可能な仕組みが求められている。このような仕組みでは、ユーザが紙媒体の書籍を所有しているか否かを適切に判定する必要がある。
この点、特許文献１，２には、紙媒体の書籍の所有者であることを判定するシステムの一例が開示されている。具体的には、特許文献１では、書籍にＩＣタグをセットし、このＩＣタグを専用の装置で読み込むことで、ユーザの書籍の所有を確認することとしている。また、特許文献２では、電子書籍購入用の専用端末を設け、この専用端末に紙媒体の書籍をセットし、紙媒体の書籍に書籍認証情報を埋め込むことで、ユーザの書籍の所有を確認することとしている。
【先行技術文献】
【特許文献】
【０００５】
【特許文献１】特開２００４−１９２３６９号公報
【特許文献２】特開２００７−１０８８５１号公報
【発明の概要】
【発明が解決しようとする課題】
【０００６】
しかしながら、特許文献１に開示されたシステムでは、書籍にＩＣタグをセットしなければならず、ユーザが既に所有している書籍に適用することはできない。また、特許文献２に開示されたシステムでは、電子書籍購入用の専用端末を設けなければならず、利便性が悪い。即ち、ユーザが所有している多数の書籍について電子書籍の購入を望んだ場合、ユーザは、専用端末が設置された特別な場所まで多数の書籍を運ばなければならず、ユーザの利便性を著しく悪化させてしまう。
【０００７】
本発明は、このような問題に鑑みてなされたものであり、過去に販売された紙媒体の書籍に関しても、ユーザが紙媒体の書籍を所有していることを簡易な方法で確認可能な所有確認装置及び書籍管理システムを提供することを目的とする。
【課題を解決するための手段】
【０００８】
上記の課題を解決するために、ユーザ端末と通信可能に接続され、ユーザによる紙媒体の書籍の所有を確認する所有確認装置であって、前記ユーザ又は書籍関連事業者に関連付けて位置情報を記憶する第１記憶部と、前記ユーザ端末から書籍の撮影画像、及び当該撮影画像を撮影した時点における前記ユーザ端末の位置情報を取得する取得部と、取得した前記位置情報が前記第１記憶部に記憶された位置情報に対応するか否かに基づいて、前記撮影画像に対応する紙媒体の書籍の所有の有無を確認する確認部と、を備える所有確認装置を提供する。
【発明の効果】
【０００９】
本発明によれば、ユーザが紙媒体の書籍を所有していることを簡易な方法で確認することができる。
【図面の簡単な説明】
【００１０】
【図１】書籍管理システムの構成を示す図である。
【図２】書籍管理システムの処理の全容を概念的に示すフローチャートである。
【図３】サーバ及びユーザ端末の機能構成を示すブロック図である。
【図４】サーバに設けられる各種データベースの一例を示す図である。
【図５】書籍の外観を模式的に示す図である。
【図６】ユーザ登録処理の流れの一例を示すフローチャートである。
【図７】対象特定処理の流れの一例を示すフローチャートである。
【図８】対象特定処理における動作例を示す図である。
【図９】所有証明処理の流れの一例を示すフローチャートである。
【図１０】所有証明処理における動作例を示す図である。
【図１１】消化証明処理の流れの一例を示すフローチャートである。
【図１２】消化証明処理における動作例を示す図である。
【発明を実施するための形態】
【００１１】
［書籍管理システムＳの概要］
初めに、図１及び図２を参照して、本発明の書籍管理システムＳの概要について説明する。図１は、書籍管理システムＳのシステム構成を示す図であり、図２は、書籍管理システムＳの処理の全容を概念的に示すフローチャートである。
図１に示すように、書籍管理システムＳは、サーバ１とユーザ端末５とを含んで構成される。サーバ１は、書籍管理システムＳにおいて提供されるサービスを統括するサーバ装置であり、所有確認装置や消化確認装置として機能する。サーバ１は、インターネット等の所定の通信回線を介してユーザ端末５と接続される。
【００１２】
ユーザ端末５は、通信機能及び撮影機能を備えた任意の端末装置であり、本実施形態では、スマートフォンを例にとり説明する。ユーザ端末５には、所定のアプリケーションプログラムがインストールされており、ユーザ端末５は、このアプリケーションプログラムに従い動作する。
【００１３】
このような構成の書籍管理システムＳにおいて、サーバ１は、ユーザ端末５を用いるユーザに対して電子書籍を提供する。このとき、サーバ１は、対応する紙媒体の書籍を所有しないユーザに対しては、通常の価格で電子書籍を提供するのに対して、紙媒体の書籍を所有するユーザに対しては、無料又は安価で電子書籍を提供する。
【００１４】
［書籍管理システムＳの処理フロー］
書籍の所有の有無に応じてサービスを異ならせるためには、ユーザによる書籍の所有の有無を適切に確認する必要があり、また、１冊の書籍が複数のユーザに利用されることを適切に防止する必要がある。本実施形態では、ユーザによる書籍の所有を確認することを、「所有確認」と呼び、また、１冊の書籍が複数のユーザに利用されることを防止するための確認をすることを「消化確認」と呼ぶ。
【００１５】
これら所有確認及び消化確認を実現するため、図２（Ａ）に示すように、書籍管理システムＳでは、ユーザ登録処理（Ｓ１）、対象特定処理（Ｓ２）、所有証明処理（Ｓ３）、消化証明処理（Ｓ４）及び購入等処理（Ｓ５）の各処理を行う。なお、図２では、各処理の概要のみを説明し、ユーザ登録処理から消化証明処理（Ｓ１からＳ４）の詳細については、後述する。
【００１６】
ユーザ登録処理（Ｓ１）では、書籍管理システムＳは、ユーザがサービスを利用する場所をユーザ毎に登録する。書籍の所有の有無に応じて異なるサービスを提供するため、サービスの利用場所は、紙媒体の書籍を保管している場所であることが好ましい。このような利用場所の最も典型的な例としては、ユーザ宅があげられる。
書籍管理システムＳでは、ユーザ毎に利用場所を登録しておき、対象特定処理（Ｓ２）から消化証明処理（Ｓ４）の各処理が、登録した利用場所で行われたか否か判定することで、不正を防止することとしている。
【００１７】
対象特定処理（Ｓ２）は、所有確認を行う対象の書籍を特定する処理である。また、所有証明処理（Ｓ３）は、特定した書籍をユーザが所有しているか否かを判定する処理である。また、消化証明処理（Ｓ４）は、ユーザによる所有が確認された書籍が他のユーザに再度利用されることのないように、当該書籍に所定のマークを付して、当該書籍についての権利を消化する処理である。
【００１８】
これら処理のうち少なくとも所有証明処理及び消化証明処理は、単一セッション内でシームレスに連続して行われ、ユーザ間での書籍のやり取りやその他の不正を防止する。なお、所有証明処理及び消化証明処理だけでなく対象特定処理を含めて、対象特定処理から消化証明処理を単一セッション内でシームレスに行うこととしてもよい。
また、図２（Ｂ）に示すように、所有証明処理及び消化証明処理の各処理は、サーバ１による撮影指示、ユーザ端末５による書籍の撮影、及びサーバ１による撮影画像の判定といった処理から構成される（詳細については後述する）。
【００１９】
また、上述の所有確認は、対象特定処理及び所有証明処理により実現され、消化確認は、所有証明処理及び消化証明処理により実現される。
【００２０】
購入、ダウンロード、閲覧等の処理（Ｓ５）は、ユーザ端末５に電子書籍を提供するための一般的な処理である。詳細については省略するが、この処理では、所定の購入処理が完了するとユーザ端末５に対してダウンロード権限を付与し、ユーザ端末５において電子書籍のダウンロードが行われる。その後、ユーザは、ダウンロードした電子書籍を、ユーザ端末５を介して閲覧する。
【００２１】
［サーバ１及びユーザ端末５の機能構成］
続いて、サーバ１及びユーザ端末５の構成について説明する。図３（Ａ）は、サーバ１の機能構成を示すブロック図であり、図３（Ｂ）は、ユーザ端末５の機能構成を示すブロック図である。
【００２２】
［サーバ１の機能構成］
図３（Ａ）に示すように、サーバ１は、制御部２と、記憶部３と、通信部４と、を含んで構成される。
記憶部３は、例えば、ＲＯＭ及びＲＡＭ等により構成される。記憶部３は、サーバ１を機能させるための各種プログラムや各種データを記憶する。また、記憶部３は、ユーザＤＢ３１と、書籍ＤＢ３２と、マーキングＤＢ３３と、を含む。
【００２３】
ユーザＤＢ３１は、ユーザ登録処理（Ｓ１）においてユーザ端末５から受け付けた登録情報をユーザ毎に記憶するデータベースである。ここで、ユーザＤＢ３１の一例を図４（Ａ）に示す。図４（Ａ）に示すように、ユーザＤＢ３１は、ユーザ毎に、ユーザの氏名や性別等の属性情報に加え、ユーザがサービスを利用する利用場所についての情報を記憶する。なお、ユーザＤＢ３１は、利用場所として、ユーザ登録処理においてユーザが入力した住所等に加え、ユーザ登録処理が行われた時のユーザ端末５の位置情報を記憶する。
このようなユーザ端末５の位置情報として、本実施形態では、ＧＰＳ情報を用いることとしている。この点、ユーザ端末５の位置情報は、利用場所が登録された場所であることを判定可能な情報であればよく、その他の情報を用いることとしてもよい。一例として、無線ＬＡＮ環境が整備された場所である場合、当該無線ＬＡＮ環境に割り当てられている情報（例えば、ルータのＩＰアドレス）を用いて利用場所を特定することとしてもよい。
【００２４】
書籍ＤＢ３２は、ユーザ端末５から受け付けた撮影画像と比較するための画像データを書籍毎に記憶するデータベースである。ここで、書籍ＤＢ３２の一例を図４（Ｂ）に示す。図４（Ｂ）に示すように、書籍ＤＢ３２は、書籍毎に、当該書籍の任意頁における画像データを記憶する。サーバ１では、書籍ＤＢ３２に記憶された画像データとユーザ端末５から受け付けた撮影画像とを比較することで、ユーザによる書籍の所有等を確認する。
【００２５】
マーキングＤＢ３３は、消化証明処理（Ｓ４）において書籍に付されたマークを記憶するデータベースである。ここで、マーキングＤＢ３３の一例を図４（Ｃ）に示す。図４（Ｃ）に示すように、マーキングＤＢ３３は、マークを付したユーザ毎に、マークを付した後の書籍の撮影画像の画像データを記憶する。この画像データからは、例えば、マークを付した書籍の種別、マークを付した頁数及びマークを付した位置、に加え、付したマークの態様を取得することができる。
【００２６】
図３に戻り、通信部４は、インターネット等の通信回線を介して外部機器と接続され、外部機器との間で所定の通信を行う。本実施形態では、通信部４は、ユーザ端末５と接続され、ユーザ端末５から登録情報や撮影画像を受信するとともに、ユーザ端末５に対して所定の指示を送信する。
【００２７】
制御部２は、例えば、ＣＰＵにより構成される。制御部２は、記憶部３に記憶されている各種プログラムを実行することにより、サーバ１に係る機能を制御する。
なお、以下では、サーバ１の所有確認機能及び消化確認機能を発揮するための構成について詳細に説明し、その他の機能を発揮するための構成については省略する。
【００２８】
＜所有確認機能＞
所有確認機能を発揮するため、制御部２は、取得部２１と、特定部２２と、指示部２３と、判定部２４と、確認部２５と、を含んで構成される。
【００２９】
取得部２１は、撮影された書籍の撮影画像及び当該撮影画像を撮影した時点におけるユーザ端末５の位置情報（例えば、ＧＰＳ情報）を、ユーザ端末５から取得する。なお、取得部２１がユーザ端末５から取得する撮影画像としては、書籍の所定位置についての第１撮影画像、及び、書籍の任意の頁についての第２撮影画像が少なくとも含まれる。
【００３０】
ここで、図５を参照して、本実施形態における書籍の撮影位置について説明する。図５（Ａ）は、書籍の外観を模式的に示す図であり、図５（Ｂ）、（Ｃ）は、見開いた状態の書籍を模式的に示す図である。
【００３１】
図５（Ａ）に示すように、本実施形態では、書籍の表面を表紙と呼び、書籍の背面を裏表紙と呼ぶ。また、書籍の側面のうち、書籍を綴じている側の面を背表紙と呼ぶ。背表紙には、通常、書籍のタイトル等が印刷されている。また、書籍の側面のうち、背表紙の背面側の面を腹部と呼ぶ。
また、図５（Ｂ）に示すように、本実施形態では、見開いた状態の書籍の縁部分を頁縁部と呼ぶ。書籍は複数頁からなるため、所定の厚みを有する。この書籍の厚みは、頁縁部にあらわれることになる。また、見開いた状態の書籍に印刷された内容を、本実施形態ではコンテンツと呼ぶ。
【００３２】
取得部２１が取得する第１撮影画像は、対象特定処理（Ｓ２）において、対象となる書籍を特定するために用いられる。そこで、本実施形態では、第１撮影画像として、例えば、書籍の裏表紙等に印刷されたバーコードを撮影した撮影画像を用いることとしている。
なお、第１撮影画像は書籍を特定可能であればよく、バーコード以外の任意の位置を撮影した撮影画像であってもよい。例えば、表紙や背表紙に印刷されたタイトル等は、書籍を一意に特定することができるため、表紙や背表紙の撮影画像を第１撮影画像として用いることとしてもよい。また、書籍によってはコンテンツが頁縁部に係る結果、腹部に固有のパターンがあらわれることがあり、このパターンによっても書籍を一意に特定することができるため、腹部の撮影画像を第１撮影画像として用いることとしてもよい。
【００３３】
また、バーコードや表紙等は、複写機による複写が容易であるため、複数部位を連続して撮影した撮影画像を第１撮影画像として用いることとしてもよい。一例として、裏表紙（バーコード）、腹部、表紙（タイトル）の順で撮影した撮影画像を第１撮影画像として用いることとしてもよい。
【００３４】
特定部２２は、取得部２１が取得した第１撮影画像に基づいて、撮影された書籍を特定する。具体的には、特定部２２は、バーコードから読み取ることのできるＩＳＢＮや表紙に印刷されたタイトル等から、撮影された書籍を特定する。
ここで、ユーザによっては他人が所有する書籍を用いてサービスを利用するといった不正を行うことがある。そこで、特定部２２は、第１撮影画像に付された位置情報が、ユーザＤＢ３１に登録された利用場所に一致する場合に限り、撮影された書籍を特定することとしてもよい。これにより、ユーザが登録した利用場所に書籍が実際に存在する場合に限りサービスを提供することができるため、ユーザの不正を防ぐことができる。
【００３５】
指示部２３は、特定部２２が撮影された書籍を特定すると、ユーザ端末５に対して当該書籍の任意の頁の撮影を指示する。ここで、指示部２３は、書籍毎に予め定められた１又は複数の頁の撮影を指示する。
後述するように、本実施形態では、消化確認を行うために書籍の一部にマークを付すこととしており、マークが付されていないものを未消化、マークが付されているものを消化済みと確認する。そのため、ランダムな頁にマークを付した場合、ある書籍が消化済みであるか否かを確認するためには、当該書籍の全ての頁においてマークが付されていないことを確認しなければならず、ユーザの利便性が著しく悪化する。
【００３６】
そこで、本実施形態では、書籍毎にマークを付す頁を設定しておき、指示部２３は、特定部２２が特定した書籍に設定された頁の撮影を指示する。図４（Ｂ）に示す例では、「書籍Ａ」には「２５頁，１０８頁，２１９頁」が設定されているため、特定部２２が「書籍Ａ」と特定した場合、指示部２３は、「２５頁，１０８頁，２１９頁」の撮影を指示する。
これにより、消化の有無を確認する際に全ての頁を確認する必要がなく、ユーザの利便性が悪化してしまうことを防止できる。また、撮影対象の頁は書籍毎に異なるため、ユーザにとってみれば、撮影対象の頁を予め把握することができず、該当頁の複写等を準備するといった不正が困難になる。
【００３７】
判定部２４は、指示部２３の指示の後に取得部２１が取得した第２撮影画像が、特定部２２が特定した書籍を撮影した画像であるか否かを判定する。具体的には、判定部２４は、書籍ＤＢ３２に記憶されている画像データと、第２撮影画像とを比較することで、第２撮影画像の撮影対象が、特定部２２が特定した書籍であるか否かを判定する。
また、判定部２４は、第２撮影画像の画質に基づいて、第２撮影画像が実際の書籍を撮影したものであるか否かを判定する。ユーザによっては、書籍を撮影した撮影画像を予め準備しておき、ディスプレイ等に表示された当該撮影画像を再度撮影し、第２撮影画像として用いることがある。ここで、ディスプレイを撮影した場合、撮影画像にはディスプレイの画素を区切る格子状の筋が線状に表れ、撮影画像の画質から判定することができる。そこで、判定部２４は、第２撮影画像の画質を判定することで、第２撮影画像が実際の書籍を撮影したものであるか、ディスプレイ等に表示した画像を撮影したものであるかを判定する。
【００３８】
また、判定部２４は、第２撮影画像がユーザ端末５において撮影された撮影画像であるか、複写機において複写された複写画像であるかを判定する。強い光を照射して対象物を複写する複写機では、読取面と接触する部分については対象物を明確に複写することができる一方で、読取面と接触しない部分は影になってしまい黒くなってしまう。図５（Ｃ）に示すように、書籍を複写する場合、書籍の厚みがあらわれる頁境界部や頁縁部に、このような影が生じることになる。そこで、判定部２４は、第２撮影画像を撮影した頁における頁境界部及び／又は頁縁部の陰影状態に応じて第２撮影画像が撮影画像であるか、複写画像であるかを判定する。
また、複写機による複写は、対象物を走査（スキャン）することで行われるため、対象物の立体構造が表れにくい。これに対して、撮影部（カメラ）による撮影では、１点から所定範囲の領域を撮影するため、対象物が立体形状である場合には、その立体構造が表れることになる。そこで、判定部２４は、第２撮影画像を撮影した頁における書籍の立体構造に応じて、第２撮影画像が撮影画像であるか、複写画像であるかを判定することとしてもよい。具体的には、判定部２４は、頁縁部（上下）における書籍の曲がり具合や頁縁部（上下左右）における書籍の厚み具合に応じて、第２撮影画像が撮影画像であるか、複写画像であるかを判定する。
【００３９】
また、判定部２４は、第２撮影画像と、マーキングＤＢ３３に記憶された画像データとを比較して、第２撮影画像が示す書籍にマークが付されているか否かを判定する。即ち、判定部２４は、第２撮影画像が示す書籍が消化済みの書籍であるか否かを判定する。
【００４０】
確認部２５は、撮影画像とともに取得した位置情報が、ユーザＤＢ３１に登録された利用場所に対応するか否かに基づいて、撮影画像に対応する書籍をユーザが所有していることを確認する。即ち、確認部２５は、書籍を撮影した場所が予め登録した利用場所と一致する場合に、当該書籍をユーザが所有していることを確認する。
【００４１】
＜消化確認機能＞
以上、制御部２の所有確認機能について説明した。続いて、制御部２の消化確認機能について説明する。なお、消化確認機能では、未消化であることを確認した後に当該書籍を消化済みにするため、一部の機能が所有確認機能と共通する。具体的には、指示部２３がユーザ端末５に対して任意の頁の撮影を指示する機能、当該指示に基づき撮影された第２撮影画像を取得すると、判定部２４が、第２撮影画像が指示された頁を撮影したものであり、かつ、マークが付されていないことを判定する機能、において共通する。以下では、所有確認機能と共通する部分についての説明は省略し、消化確認機能に特有の部分について説明する。
消化確認機能を発揮するため、制御部２は、取得部２１と、指示部２３と、判定部２４と、を含んで構成される。
【００４２】
指示部２３は、判定部２４により第２撮影画像（所定の撮影画像）にマークが付されていないと判定されると、ユーザ端末５に対して、所定頁の任意の箇所に所定マークを付すよう指示する。
所定頁は、書籍毎に設定された頁のうちの任意の１又は複数の頁である。また、任意の箇所は、指定した頁の任意の位置であり、当該頁の上部又は下部に設けられたスペース、より詳細には、当該頁の右上部、左上部、右下部又は左下部に設けられたスペースである。また、所定マークは、任意のマークであってよいが、自然に付される可能性があるパターンと判別可能であることが好ましい。一例として、複数線からなるマークや所定の文字を所定マークとして採用することができる。
【００４３】
このようにマークを付す頁を特定の頁に限定することで、消化の有無を容易に確認することができる。一方、マークを付す頁を限定するため、マークが付されていない書籍とマークが付された書籍とを準備しておく不正も考えられるが、書籍管理システムＳでは、当該頁内のマークを付す位置、及び付すマークのパターンをユーザに対して指示することとしているため、このような不正を防ぐことができる。
【００４４】
取得部２１は、指示部２３が指示した頁を撮影した第３撮影画像（特定の撮影画像）を、ユーザ端末５から取得する。即ち、書籍管理システムＳでは、マークが付される前の第２撮影画像と、マークが付された後の第３撮影画像とを、ユーザ端末５から取得する。
【００４５】
判定部２４は、取得した第３撮影画像に所定マークが付されているか否かを判定する。具体的には、判定部２４は、第２撮影画像と第３撮影画像とを比較することで第３撮影画像に所定マークが付されているか否かを判定する。なお、判定部２４は、第２撮影画像に対する判定と同様に、第３撮影画像を撮影した頁における頁境界部及び／若しくは頁縁部の陰影状態、又は書籍の立体構造に応じて第３撮影画像が撮影画像であるか、複写画像であるかを判定することとしてもよい。
判定部２４は、第３撮影画像に所定マークが付されていると判定すると、当該所定マークのパターンを、書籍の所定領域（指示した頁及び指示した箇所）に関連付けて、マーキングＤＢ３３に記憶する。これにより、その後、他のユーザが同一の書籍を用いようとしても、当該書籍が既に消化済みであることを把握することができる。
【００４６】
［ユーザ端末５の機能構成］
以上、サーバ１の構成について説明した。続いて、図３（Ｂ）を参照して、ユーザ端末５の構成について説明する。図３（Ｂ）に示すように、ユーザ端末５は、撮影部６と、記憶部７と、通信部８と、入力部９と、制御部１０と、を含んで構成される。
【００４７】
撮影部６は、任意のカメラであり、ユーザの操作に伴い所定の撮影画像を撮影する。撮影部６は、自動フォーカス機能を有しており、サーバ１から指示された撮影対象（例えば、バーコード）を見つけると、当該撮影対象に対して自動的にフォーカスを合せることができる。これにより、撮影に伴う傾きや歪みを軽減することができる。
【００４８】
記憶部７は、例えば、ＲＯＭ及びＲＡＭ等により構成される。記憶部７は、ユーザ端末５を機能させるためのアプリケーションプログラムや各種データを記憶する。ユーザ端末５の制御部１０は、このアプリケーションプログラムに従い、後述する各種機能を発揮する。
【００４９】
通信部８は、携帯回線等の通信回線を介して外部機器と接続され、外部機器との間で所定の通信を行う。本実施形態では、通信部８は、サーバ１と接続され、サーバ１に対して撮影部６が撮影した撮影画像やユーザの登録情報を送信するとともに、サーバ１から所定の指示通知を受信する。
【００５０】
入力部９は、例えば、ボタンや、表示部に配置される接触センサ等により構成されており、ユーザから操作入力を受け付ける。本実施形態では、入力部９は、例えば、ユーザ登録処理においてユーザ情報を入力する操作入力を受け付ける。
【００５１】
制御部１０は、例えば、ＣＰＵにより構成される。制御部１０は、記憶部７に記憶されているアプリケーションプログラムを実行することにより、ユーザ端末５に係る機能を制御し、通信制御部１１及び管理部１２として機能する。
【００５２】
通信制御部１１は、撮影部６が撮影した撮影画像、及び入力部９が受け付けたユーザ情報を、通信部８を介してサーバ１に送信する。このとき、通信制御部１１は、撮影画像に対して当該撮影画像を撮影した時点のユーザ端末５の位置情報を付してサーバ１に送信するとともに、ユーザ情報に対して当該ユーザ情報の入力を受け付けた時点のユーザ端末５の位置情報を付して、サーバ１に送信する。
また、通信制御部１１は、上述のアプリケーションプログラムが実行されている状態において撮影された撮影画像（言い換えると、サーバ１からの指示に応じて撮影された撮影画像）をサーバ１に送信し、ユーザ端末５に予め記憶されていた画像の送信を禁止する。即ち、上述のアプリケーションプログラムに対応するアプリケーションが実行されている場合、ユーザ端末５からサーバ１には、アプリケーション実行中に撮影された撮影画像が送信され、アプリケーション実行前から記憶していた画像は送信されない。
【００５３】
管理部１２は、所有証明処理から消化証明処理が単一セッションで行われるようにユーザ端末５を制御する。具体的には、管理部１２は、所有証明処理から消化証明処理が単一セッションで行われない場合に、上述のアプリケーションプログラムに対応するアプリケーションを終了し、再度、対象特定処理から処理を開始させる。
単一セッションであるか否かの判定は、任意の方法で行うこととしてよく、例えば、アプリケーション起動時からの時間に基づいて判定することとしてもよく、また、ユーザ端末５において他のアプリケーションが起動されたか否かにおいて判定することとしてもよい。
【００５４】
［書籍管理システムＳの動作］
以上、書籍管理システムＳの構成について説明した。続いて、書籍管理システムＳの動作について説明する。
【００５５】
＜ユーザ登録処理＞
初めに、図６を参照して、ユーザ登録処理について説明する。図６は、図２に示すユーザ登録処理（Ｓ１）の詳細を示すフローチャートである。
【００５６】
Ｓ１０１において、ユーザ端末５は、ユーザに対してユーザ情報の入力を指示する。続いて、Ｓ１０２において、ユーザが氏名、性別、年齢等の情報に加え、サービスの利用場所を示す住所等をユーザ情報として入力すると、Ｓ１０３において、ユーザ端末５の通信制御部９１は、ユーザ情報にＧＰＳ情報を付してサーバに対して送信する。
【００５７】
Ｓ１０４において、サーバ１は、ユーザ端末５から受け付けた利用場所の住所を、ＧＰＳ情報に変換する。続いて、Ｓ１０５において、サーバ１は、ユーザ端末５から受け付けたＧＰＳ情報が、Ｓ１０４において変換したＧＰＳ情報に対応するか否かを判定する。この判定がＮＯのときは、処理をＳ１０１に移す。即ち、サーバ１は、ユーザ端末５に対して、ユーザ情報の再度の入力を促す。他方、この判定がＹＥＳのときは、Ｓ１０６において、サーバ１は、受信したユーザ情報をユーザＤＢ３１に登録し、ユーザ登録処理を終了する。
【００５８】
＜対象特定処理＞
続いて、図７及び図８を参照して、対象特定処理について説明する。図７は、図２に示す対象特定処理（Ｓ２）の詳細を示すフローチャートであり、図８は、対象特定処理の動作例を示す図である。
【００５９】
Ｓ２０１において、ユーザ端末５では、ユーザに対して書籍の撮影を指示する。この処理では、ユーザ端末５は、対象の書籍を特定可能な位置を指示する。一例として、図８に示すように、ユーザ端末５は、バーコードの撮影を指示する。続いて、Ｓ２０２において、ユーザが指示された位置を撮影すると、Ｓ２０３において、ユーザ端末５の通信制御部９１は、撮影画像にＧＰＳ情報を付してサーバ１に対して送信する。
【００６０】
Ｓ２０４において、サーバ１の取得部２１が撮影画像及びＧＰＳ情報を取得すると、特定部２２は、ＧＰＳ情報がユーザ登録処理において登録した利用場所に対応するか否かを判定し、Ｓ２０５において、特定部２２は、撮影画像から書籍を特定可能であるか否かを判定する。図８に示すように、サーバ１では、ＧＰＳ情報が登録した利用場所に対応し、かつ、撮影画像から書籍を特定可能である場合に、Ｓ２０６において、特定部２２は、撮影画像から書籍を特定し、対象特定処理を終了する。
他方、ＧＰＳ情報が登録した利用場所に対応しない場合や、撮影画像からでは書籍を特定できない場合、処理をＳ２０１に移し、サーバ１は、ユーザ端末５に対して、再度の撮影を促す。
【００６１】
＜所有証明処理＞
続いて、図９及び図１０を参照して、所有証明処理について説明する。図９は、図２に示す所有証明処理（Ｓ３）の詳細を示すフローチャートであり、図１０は、所有証明処理の動作例を示す図である。
【００６２】
Ｓ３０１において、サーバ１の指示部２３は、ユーザ端末５に対して、対象特定処理において特定した書籍に応じた頁を撮影するように指示する。図１０（Ａ）に示す例では、ユーザ端末５には、撮影対象の頁として、２３頁、１２５頁、２１３頁が指示されている。
【００６３】
続いて、Ｓ３０２において、ユーザが指示された頁を撮影すると、Ｓ３０３において、ユーザ端末５の通信制御部９１は、撮影画像にＧＰＳ情報を付してサーバ１に対して送信する。
【００６４】
サーバ１では、取得部２１が撮影画像及びＧＰＳ情報を取得すると、Ｓ３０４において、判定部２４は、ＧＰＳ情報がユーザ登録処理において登録した利用場所に対応するか否かを判定する。続いて、Ｓ３０５において、判定部２４は、撮影画像が指示した頁を撮影したものであるか否かを判定する。具体的には、図１０（Ｂ）に示すように、判定部２４は、撮影画像を書籍ＤＢ３２に記憶された画像データと比較して、書籍のコンテンツを示す部分が当該画像データと一致するか否か等を判定することで、Ｓ３０５の判定を行う。なお、ユーザ端末５の撮影部６で撮影した撮影画像は、傾き・歪みが生じている可能性があるため、判定部２４は、この傾き・歪みを考慮して所定の補正を行った上で、両画像の比較を行う。
【００６５】
続いて、Ｓ３０６において、判定部２４は、撮影画像が示す頁に既にマークが付されているか否かを判定する。具体的には、図１０（Ｂ）に示すように、判定部２４は、撮影画像が示す頁の上部スペースや下部スペースに、マーキングＤＢ３３に記憶されたパターンのマークが付されているか否かを判定する。続いて、判定部２４は、Ｓ３０１において指示した全ての頁についてＳ３０５、Ｓ３０６の判定を行ったかを判定する。
【００６６】
これらＳ３０４乃至Ｓ３０７の判定が全てＹＥＳのとき、Ｓ３０８において、確認部２５は、対象特定処理において特定した書籍をユーザが所有していると判定する。即ち、図１０（Ｂ）に示すように、サーバ１では、撮影画像に付されたＧＰＳ情報が登録した利用場所に対応し、撮影画像が特定した書籍のうち指示された頁を撮影した画像であり、かつ、撮影画像にマークが付されていない場合に、対象特定処理（Ｓ２）において特定した書籍をユーザが所有していると判定する。
他方、Ｓ３０４乃至Ｓ３０７の判定のいずれかがＮＯのときは、処理をＳ３０１に移し、サーバ１は、ユーザ端末５に対して、再度の撮影を促す。
【００６７】
＜消化証明処理＞
続いて、図１１及び図１２を参照して、消化証明処理について説明する。図１１は、図２に示す消化証明処理（Ｓ４）の詳細を示すフローチャートであり、図１２は、消化証明処理の動作例を示す図である。
【００６８】
Ｓ４０１において、サーバ１の指示部２３は、対象特定処理において特定した書籍に応じてマーキング用の頁を特定する。この処理では、指示部２３は、書籍毎に設定された頁（図４（Ｂ）参照）の中から１又は複数の頁をマーキング用の頁として特定する。続いて、Ｓ４０２において、サーバ１の指示部２３は、Ｓ４０１で特定した頁のうちマークを付す位置（例えば、右上、左上、右下、左下等のスペース）、及び当該位置に付すマークのパターンを特定する。続いて、Ｓ４０３において、サーバ１の指示部２３は、Ｓ４０１及びＳ４０２で特定した該当頁の該当位置に、特定したパターンのマークを付すように、ユーザ端末５に対して指示する。
その結果、図１２（Ａ）に示すように、ユーザ端末５には、「２３頁の右上に三本線を引いてください」等の指示が通知されることになる。
【００６９】
続いて、Ｓ４０４において、ユーザが指示された頁の指示された位置にマークを付し、Ｓ４０５において、ユーザがマークを付した頁を撮影すると、Ｓ４０６において、ユーザ端末５の通信制御部１１は、撮影画像にＧＰＳ情報を付してサーバ１に対して送信する。
【００７０】
サーバ１では、取得部２１が撮影画像及びＧＰＳ情報を取得すると、Ｓ４０７において、判定部２４は、ＧＰＳ情報がユーザ登録処理において登録した利用場所に対応するか否かを判定する。続いて、判定部２４は、Ｓ４０８において、撮影画像が指示した頁を撮影したものであるか否かを、書籍ＤＢ３２に記憶された画像データと撮影画像とを比較することで判定するとともに、Ｓ４０９において、撮影画像が示す頁の指示された位置にマークが付されているか否かを判定する。
【００７１】
これらＳ４０７乃至Ｓ４０９の判定が全てＹＥＳのとき、Ｓ４１０において、判定部２４は、ユーザに対して、対象の書籍の電子書籍版を購入・ダウンロード等する権利を付与し、消化証明処理を終了する。即ち、図１２（Ｂ）に示すように、サーバ１では、撮影画像に付されたＧＰＳ情報が登録した利用場所と一致し、撮影画像が特定した書籍のうち指示された頁を撮影した画像であり、かつ、撮影画像にマークが付されている場合に、判定部２４は、対象特定処理（Ｓ２）において特定した書籍をダウンロード等する権利をユーザに付与し、当該書籍についての権利が消化されたことを確認する。
他方、Ｓ４０７乃至Ｓ４０９の判定のいずれかがＮＯのときは、処理をＳ４０１に移し、サーバ１は、ユーザ端末５に対して、再度の撮影等を促す。
【００７２】
［書籍管理システムＳの効果］
以上説明した書籍管理システムＳによれば、以下の効果を期待することができる。
書籍管理システムＳでは、書籍を所有しているユーザに対して書籍を所有していないユーザとは異なるサービスを提供するため、書籍の所有確認を行う。書籍管理システムＳでは、この所有確認において、ユーザ端末５から対象となる書籍を特定可能な部分を撮影した撮影画像（第１撮影画像）を取得するだけでなく、撮影画像を撮影した時点のユーザ端末５の位置情報が予め登録された利用場所に対応するか否かに応じて、当該書籍の所有の有無を確認する。
【００７３】
これにより、登録した利用場所以外の場所において、ユーザが書籍を撮影したとしても、当該ユーザによる所有を認めることが無いため、ユーザが、例えば、友人宅や書店等にある他人の書籍を撮影するといった不正を行った場合であっても、当該不正を防ぐことができる。
また、専用の器具や装置を用いることなく、ユーザが通常所有するユーザ端末５（例えば、携帯電話）を用いて所有確認を行うことができるため、紙媒体の書籍の所有者であることを簡易な方法で確認することができる。
【００７４】
また、書籍管理システムＳでは、バーコードやタイトル等を撮影した第１撮影画像だけでなく、任意の頁を見開いた状態の書籍を撮影した第２撮影画像に基づいて、所有確認を行う。これにより、所有確認に用いる撮影箇所を予想困難にすることができ、予め複写等を準備するといった不正を防ぐことができる。
【００７５】
また、所有確認に際して撮影箇所として予想され易いバーコードやタイトル等も、複数部位を連続して撮影させることで、不正をより確実に防ぐことができる。
また、任意の頁を撮影した撮影画像について、頁間境界部や頁縁部の陰影状態に基づいて、撮影画像であるか複写画像であるかを判定するため、任意の頁を撮影した撮影画像（第２撮影画像や第３撮影画像）についても不正を防ぐことができる。
【００７６】
また、書籍管理システムＳでは、所有確認を行うと、所有が確認された書籍に対してマークを付すことで、当該書籍についての権利の消化確認を行う。具体的には、サーバ１は、所有確認した書籍にマークを付すようユーザ端末５に指示し、この指示に伴いユーザ端末５において撮影された第３撮影画像を取得する。そして、サーバ１では、マークが付される前の第２撮影画像と第３撮影画像とを比較して、第３撮影画像にマークが付されていることを確認し、消化確認を行う。
これにより、１冊の書籍が複数のユーザにより利用されることを防ぐことができる。
【００７７】
このとき、サーバ１は、書籍毎に予め設定された頁の中からマークを付す頁を選択する。これにより、消化確認を行う頁を書籍毎に固定的にすることができるため、消化確認を容易に行うことができ、好適である。
なお、頁を固定的にすることで、ユーザが不正するおそれがあるものの、書籍管理システムＳでは、マークを付す位置や付すマークのパターンも併せて指示するため、頁を固定的にすることに伴う不正を防ぐことができる。また、ユーザが付したマークは、マーキングＤＢ３３に記憶されるため、ユーザが、書籍管理システムＳのサービスとは別に独自にマークを付していた場合に、当該書籍の権利を消化してしまうことを防ぐことができる。
【００７８】
また、ユーザ端末５では、アプリケーションプログラムの制御により、所有証明処理（Ｓ３）から消化証明処理（Ｓ４）までの処理を、単一セッション内で連続して行うため、ユーザ間で書籍をやり取りする等といった不正を防止することができる。
同様に、ユーザ端末５では、アプリケーション実行中に撮影された画像のみをサーバ１に送信可能にし、予めユーザ端末５内に保存された画像の送信を不可能にしている。これにより、あるユーザが撮影した撮影画像を別ユーザが利用することを防止することができる。
【００７９】
［別実施形態：利用場所］
以上説明した書籍管理システムＳでは、書店等にある他人の書籍を撮影するといった不正を防止することとしている。この点、書店等を利用した不正を防止するためには、上記実施形態のように予め登録した利用場所に限りサービスを提供する手法（所謂、ホワイトリスト）に加え、予め登録した利用不可能場所である場合にサービスを提供しない手法（所謂、ブラックリスト）も考えられる。そこで、書籍管理システムＳでは、予め登録した利用場所に限りサービスを提供する手法に代えて（又は加えて）、予め登録した利用不可能場所である場合にサービスを提供しない手法を採用することとしてもよい。
具体的には、記憶部３に書籍関連事業者の位置情報を記憶しておき、書籍の撮影画像を撮影した時点におけるユーザ端末５の位置情報が、書籍関連事業者の位置情報に対応するか否かに基づいて、対象特定処理（Ｓ２）乃至消化証明処理（Ｓ４）を行うこととしてもよい。なお、書籍関連事業者は、書籍を取り扱う事業者であり、例えば、書店、マンガ喫茶、コンビニ、図書館等であり、また、待ち時間中のユーザ書籍を提供する病院、銀行、理容所、美容所等を含むこととしてもよい。
【００８０】
［別実施形態：位置情報］
また、書籍管理システムＳでは、利用場所の位置情報として、ＧＰＳ情報や住所等の情報を用いることとしている。ここで、マンション等の集合住宅では、１階にコンビニが設置され、２階以降に住宅が設置されている場合がある。このような場合に、ＧＰＳ情報等のみを用いると、ユーザが不正しているか否かを適切に判定できない可能性がある。そこで、書籍管理システムＳでは、ＧＰＳ情報や住所等の情報に加えて、ユーザがサービスを利用する空間を特定するための空間情報を更に利用することとしてもよい。
このような空間情報としては、例えば、サービスを利用する空間を撮影した撮影画像を採用することができる。即ち、サーバ１では、書籍の撮影画像を取得する際に、ユーザの周囲の空間を撮影した撮影画像も同時に取得する。そして、サーバ１の判定部２４は、周囲の空間を撮影した撮影画像から、例えば、一般の家庭で利用される壁（壁紙）であるか、机やベッドや家電製品の有無、コンビニ等の商品陳列棚の有無等に基づいて、当該空間がユーザ宅であるかコンビニ等であるか判定する。
【００８１】
［別実施形態：マーク判定機能］
また、書籍管理システムＳでは、書籍にマークが付されていないことを確認した後に、当該書籍にマークが付されたことを確認することで、消化確認を行う。このような消化確認では、書籍に付されたマークが消されていないことを確認する機能（以下、「痕跡判定機能」と呼ぶ）や、書籍に付されたマークが消すことのできないマークであることを確認する機能（以下、「マーク手法判定機能」と呼ぶ）が求められる。
【００８２】
＜痕跡判定機能＞
痕跡判定機能を実現するため、判定部２４は、所有証明処理（Ｓ３）において第２撮影画像が示す書籍にマークが付されているか否かを判定する際に、マーク消失の痕跡があるか否かを判定する。ペン等の任意の筆記具を用いてマークを付す場合、マークを消したとしても、書籍には、ペン先の押圧に伴う痕跡が残る。判定部２４は、第２撮影画像が示す書籍にこのような痕跡がある場合に、当該書籍に既にマークが付されていると判定し、痕跡もマークもない場合に、当該書籍には未だマークが付されたことがないと判定する。
【００８３】
＜マーク手法判定機能＞
マーク手法判定機能を実現するため、判定部２４は、消化証明処理（Ｓ４）において、付されたマークが所定手法を用いて付されたものであるか否かに基づいて、書籍にマークが付されていることを判定する。ここで、所定手法は、書籍に対して消すことが困難なマークを付すための任意の手法であり、例えば、油性ペンを用いて書籍にマークを付すことである。
本発明者らが実験を行ったところ、油性ペンで付したマークと、鉛筆やボールペン等で付したマークとでは、マークの濃さが異なることが確認できた。そこで、判定部２４は、書籍に付されたマークが閾値以上の濃さであるか否かに基づいて、付されたマークが所定手法を用いて付されたものであるか否かを判定する。そして、判定部２４は、付されたマークが、閾値以上の濃さのマークである場合には、所定手法を用いてマークが付されたと判定し、書籍にマークが付されていると判定する。他方、判定部２４は、付されたマークが、閾値未満の濃さのマークである場合には、所定手法以外の手法を用いてマークが付されたと判定し、書籍にマークが付されていないと判定する。なお、マークの濃さの判定は、例えば、マークに対応する画素の画素値に基づいて行うことができる。
【００８４】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００８５】
例えば、上記実施形態では、撮影画像（第１撮影画像、第２撮影画像、第３撮影画像）として静止画を用いることとしている。この点、撮影画像は、静止画に限られるものではなく、動画を用いることとしてもよい。このとき、静止画に代えて動画を用いることとしてもよく、また、静止画に加えて動画を用いることとしてもよい。
一例として、対象特定処理（Ｓ２）や所有証明処理（Ｓ３）において、バーコードの静止画を撮影した後に、当該書籍を回転する様子や書籍の頁をめくる様子を動画撮影させることで、複写ではなく実際の書籍であることを把握することができ、不正を防止することができる。
【００８６】
また、書籍管理システムＳでは、書籍にマークを付すことで、当該書籍が消化されたことを証明することとしているが、マークを付す位置は任意である。例えば、上記実施形態のように指示した頁内にマークを付すこととしてもよく、また、バーコード等の上にマークを付すこととしてもよい。また、マークを付す方法も任意であり、例えば、ペン等でマークを付すこととしてもよく、書籍に穴や傷をつけることでマークを付す等、任意の方法でマークを付すこととしてよい。
なお、書籍の表紙等は、紙質が異なっていることがあり、ペンで付したマークが消されてしまう可能性がある。そのため、このような表紙等にマークを付す場合には、ペンによるマーキングよりも穴や傷をつけることによるマーキングの方が好ましいことがある。
【００８７】
なお、穴や傷をつける方法も任意であり、例えば、ユーザに対して予め提供しておいた所定の穴あけ機を用いて穴をあけることとしてもよく、また、爪等を押し当てて傷をつけることとしてもよい。
なお、爪等を押し当てることにより傷をつける場合、故意につけた傷と自然についた傷と区別する必要がある。この点、例えば、傷の深さから自然についた傷と区別することとしてもよく、また、傷のパターンから自然についた傷と区別することとしてもよい。
【００８８】
また、上記実施形態では、ユーザ登録処理（Ｓ１）において、ユーザがサービスを利用する利用場所をユーザ毎に登録することとしている。この点、利用場所の登録は、１箇所に限らず、複数箇所を登録可能にしてもよい。
【符号の説明】
【００８９】
Ｓ・・・書籍管理システム、１・・・サーバ、２・・・制御部、２１・・・取得部、２２・・・特定部、２３・・・指示部、２４・・・判定部、２５・・・確認部、３・・・記憶部、３１・・・ユーザＤＢ、３２・・・書籍ＤＢ、３３・・・マーキングＤＢ、４・・・通信部、５・・・ユーザ端末、６・・・撮影部、７・・・記憶部、８・・・通信部、９・・・入力部、１０・・・制御部、１１・・・通信制御部、１２・・・管理部
【図１】
2016045561.tif 000003
【図２】
2016045561.tif 000004
【図３】
2016045561.tif 000005
【図４】
2016045561.tif 000006
【図５】
2016045561.tif 000007
【図６】
2016045561.tif 000008
【図７】
2016045561.tif 000009
【図８】
2016045561.tif 000010
【図９】
2016045561.tif 000011
【図１０】
2016045561.tif 000012
【図１１】
2016045561.tif 000013
【図１２】
2016045561.tif 000014